(57)【要約】【課題】ウオブリング処理を行う場合であっても、電子ペンの指し示す位置と描画位置とにズレを発生させない。【解決手段】画像表示サブフィールドと座標検出サブフィールドとを含む複数のサブフィールドで１フィールド期間を構成した画像表示装置の駆動方法であって、座標検出サブフィールドは、同期をとるための発光を発生する同期検出サブフィールドＳＦｏと画像表示面上のｙ座標を検出するためのｙ座標検出発光を発生するｙ座標検出サブフィールドＳＦｙと画像表示面上のｘ座標を検出するためのｘ座標検出発光を発生するｘ座標検出サブフィールドＳＦｘとを含み、画像表示サブフィールドにおいて時間に依存して設定される所定の変位量（δＸ、δＹ）だけ画像の表示位置を移動して表示するとともに、ｙ座標検出発光およびｘ座標検出発光の発光タイミングを変位量に相当する時間（−δＸ・Ｔｘ１）、（−δＹ・Ｔｙ１）だけ変更する。【選択図】図７
2015158524.tif 000002
【特許請求の範囲】
【請求項１】
画像信号を入力して画像を表示するための画像表示サブフィールドと、画像表示面上の座標を検出するための発光を発生する座標検出サブフィールドと、を含む複数のサブフィールドで１フィールド期間を構成した画像表示装置の駆動方法であって、
前記座標検出サブフィールドは、同期をとるための発光を発生する同期検出サブフィールドと、画像表示面上のｙ座標を検出するためのｙ座標検出発光を発生するｙ座標検出サブフィールドと、画像表示面上のｘ座標を検出するためのｘ座標検出発光を発生するｘ座標検出サブフィールドと、を含み、
前記画像表示サブフィールドにおいて、時間に依存して設定される所定の変位量だけ前記画像の表示位置を移動して表示するとともに、
前記ｙ座標検出発光および前記ｘ座標検出発光の発光タイミングを、前記変位量に相当する時間だけ変更することを特徴とする画像表示装置の駆動方法。
【請求項２】
ディスプレイデバイスと、画像信号を入力して画像を表示するための画像表示サブフィールドと画像表示面上の座標を検出するための発光を発生する座標検出サブフィールドとを含む複数のサブフィールドで１フィールド期間を構成して前記ディスプレイデバイスを駆動する駆動回路と、を有する画像表示装置であって、
前記駆動回路は、
同期をとるための発光を発生する同期検出サブフィールドと、画像表示面上のｙ座標を検出するためのｙ座標検出発光を発生するｙ座標検出サブフィールドと、画像表示面上のｘ座標を検出するためのｘ座標検出発光を発生するｘ座標検出サブフィールドと、を含む複数のサブフィールドで前記座標検出サブフィールドを構成し、
前記画像表示サブフィールドにおいて、時間に依存して設定される所定の変位量だけ前記画像の表示位置を移動して表示するとともに、
前記ｙ座標検出発光および前記ｘ座標検出発光の発光タイミングを、前記変位量に相当する時間だけ変更する
ことを特徴とする画像表示装置。
【請求項３】
請求項２に記載の画像表示装置と、前記座標検出サブフィールドの発光に基づき指し示す画像表示面の座標を算出する電子ペンと、前記電子ペンが算出した座標に基づき描画信号を作成して前記画像表示装置に出力する描画装置と、を備えたことを特徴とする画像表示システム。
【発明の詳細な説明】
【技術分野】
【０００１】
本発明は、フラットディスプレイデバイスを用いた画像表示装置の駆動方法、画像表示装置、および電子ペンを用いて描画可能な画像表示システムに関する。
【背景技術】
【０００２】
フラットディスプレイデバイスとして代表的なプラズマディスプレイパネルは、２枚のガラス基板の間に多数の放電セルが形成され、放電セル内でガス放電を発生させて、赤色、緑色および青色の各色の蛍光体を励起発光させてカラー表示を行う。プラズマディスプレイパネルを駆動する方法としては、１フィールド期間を複数のサブフィールドで構成し、発光させるサブフィールドの組み合わせによって階調表示を行うサブフィールド法が一般的である。
【０００３】
このようなフラットディスプレイデバイスでは、長時間連続して同じ画像を表示し続けると、「焼き付き」と呼ばれる残像が発生することがある。このような焼き付きを防止するために、例えば特許文献１には、画像の表示位置を時間とともにゆっくりと移動させる方法（以下、「ウオブリング」と呼称する）が提案されている。
【０００４】
一方で、このようなフラットディスプレイデバイスを用いて、黒板やホワイトボードのように、画像表示面上から文字や絵などを入力できる画像表示システムが検討されている。これらは、プレゼンテーションや講義等に使用できる、いわゆるインタラクティブボードである。
【０００５】
例えば特許文献２には、プラズマディスプレイパネルを用いて、位置座標検出時にのみ１フィールド中に位置座標検出期間を設けて、この期間内に位置座標検出用の発光を発生させ、その発光を電子ペンで検出するタイミングにより、電子ペンの指し示す位置座標を検出する座標位置検出方法が記載されている。
【先行技術文献】
【特許文献】
【０００６】
【特許文献１】特開２００８−２８１６１１号公報
【特許文献２】特開２００１−３１８７６５号公報
【発明の概要】
【発明が解決しようとする課題】
【０００７】
フラットディスプレイデバイスをインタラクティブボードとして用いる場合には、同じ画像を表示し続けることが多く、焼き付きが発生するおそれがある。そのため、特許文献１に記載されているような焼き付き防止策を併用することが望ましい。
【０００８】
しかしながら、電子ペンで描いた描画信号にウオブリング処理を施すと、電子ペンが指し示す座標と描画した画像の表示位置にずれが生じるため、電子ペンのペン先の位置と描画位置がずれて不自然で使い難い画像表示システムとなってしまう。
【０００９】
本発明は、上記の課題に鑑みなされたものであり、ウオブリング処理を行う場合であっても、電子ペンの指し示す位置と描画位置とにズレを発生させることなく、自然な使用感で描画が可能な画像表示装置の駆動方法、画像表示装置および画像表示システムを提供することを目的とする。
【課題を解決するための手段】
【００１０】
上記目的を達成するために本発明は、画像信号を入力して画像を表示するための画像表示サブフィールドと画像表示面上の座標を検出するための発光を発生する座標検出サブフィールドとを含む複数のサブフィールドで１フィールド期間を構成した画像表示装置の駆動方法であって、座標検出サブフィールドは、同期をとるための発光を発生する同期検出サブフィールドと画像表示面上のｙ座標を検出するためのｙ座標検出発光を発生するｙ座標検出サブフィールドと画像表示面上のｘ座標を検出するためのｘ座標検出発光を発生するｘ座標検出サブフィールドとを含み、画像表示サブフィールドにおいて時間に依存して設定される所定の変位量だけ画像の表示位置を移動して表示するとともに、ｙ座標検出発光およびｘ座標検出発光の発光タイミングを変位量に相当する時間だけ変更することを特徴とする。この方法により、ウオブリング処理を行う場合であっても、電子ペンの指し示す位置と描画位置とにズレを発生させることなく、自然な使用感で描画が可能な画像表示装置の駆動方法を提供することができる。
【００１１】
また本発明は、ディスプレイデバイスと、画像信号を入力して画像を表示するための画像表示サブフィールドと画像表示面上の座標を検出するための発光を発生する座標検出サブフィールドとを含む複数のサブフィールドで１フィールド期間を構成してディスプレイデバイスを駆動する駆動回路と、を有する画像表示装置であって、駆動回路は、同期をとるための発光を発生する同期検出サブフィールドと画像表示面上のｙ座標を検出するためのｙ座標検出発光を発生するｙ座標検出サブフィールドと画像表示面上のｘ座標を検出するためのｘ座標検出発光を発生するｘ座標検出サブフィールドとを含む複数のサブフィールドで座標検出サブフィールドを構成し、画像表示サブフィールドにおいて時間に依存して設定される所定の変位量だけ画像の表示位置を移動して表示するとともに、ｙ座標検出発光およびｘ座標検出発光の発光タイミングを変位量に相当する時間だけ変更することを特徴とする。この構成により、ウオブリング処理を行う場合であっても、電子ペンの指し示す位置と描画位置とにズレを発生させることなく、自然な使用感で描画が可能な画像表示装置を提供することができる。
【００１２】
また本発明の画像表示システムは、上記に記載の画像表示装置と、座標検出サブフィールドの発光に基づき指し示す画像表示面の座標を算出する電子ペンと、電子ペンが算出した座標に基づき描画信号を作成して画像表示装置に出力する描画装置とを備えたことを特徴とする。この構成により、ウオブリング処理を行う場合であっても、電子ペンの指し示す位置と描画位置とにズレを発生させることなく、自然な使用感で描画が可能な画像表示システムを提供することができる。
【発明の効果】
【００１３】
本発明によれば、ウオブリング処理を行う場合であっても、電子ペンの指し示す位置と描画位置とにズレを発生させることなく、自然な使用感で描画が可能な画像表示装置の駆動方法、画像表示装置および画像表示システムを提供することが可能となる。
【図面の簡単な説明】
【００１４】
【図１】本発明の実施の形態１における画像表示システムの回路ブロック図である。
【図２】同画像表示システムのパネルの分解斜視図である。
【図３】同画像表示システムのパネルの電極配列図である。
【図４】同画像表示システムのパネルに印加する駆動電圧波形図である。
【図５】同画像表示システムのパネルに印加する駆動電圧波形図である。
【図６Ａ】同画像表示システムのウオブリング部の動作を説明する模式図である。
【図６Ｂ】同画像表示システムのウオブリング部の動作を説明する模式図である。
【図７】同画像表示システムの位置座標検出方法を説明するタイミングチャートである。
【図８】同画像表示システムの位置座標検出方法を説明する模式図である。
【図９】同画像表示システムの描画の一例を示す模式図である。
【図１０Ａ】同画像表示システムの動作を説明するための模式図である。
【図１０Ｂ】同画像表示システムの動作を説明するための模式図である。
【図１０Ｃ】同画像表示システムの動作を説明するための模式図である。
【図１１】本発明の実施の形態２における画像表示システムのパネルに印加する駆動電圧波形図である。
【発明を実施するための形態】
【００１５】
以下、本発明の実施の形態における画像表示システムについて、図面を用いて説明する。
【００１６】
（実施の形態１）
図１は、本発明の実施の形態１における画像表示システム１００の回路ブロック図である。画像表示システム１００は、画像表示装置３０と、描画装置４０と、電子ペン５０とを備える。電子ペン５０は複数本備えていてもよい。
【００１７】
画像表示装置３０は、画像を表示するディスプレイデバイスと、それを駆動する駆動回路とを有する。以下、ディスプレイデバイスとしてプラズマディスプレイパネル（「パネル」と略記する）１０を用いた画像表示装置３０を例に説明するが、液晶、有機ＥＬ等のディスプレイデバイスを用いた画像表示装置であってもよい。
【００１８】
図２は、本発明の実施の形態１における画像表示システム１００のパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１９】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、放電ガスとして、例えばネオンとキセノンとの混合ガスが封入されている。放電空間は隔壁２４によって複数の区画に仕切られており、表示電極対１４とデータ電極２２とが交差する部分に放電セルが形成されている。そしてこれらの放電セルが放電、発光することにより蛍光体層２５が発光して画像が表示される。
【００２０】
図３は、本発明の実施の形態１における画像表示システム１００のパネル１０の電極配列図である。パネル１０には、行方向に延びたｎ本の走査電極ＳＣ１〜ＳＣｎ（図１の走査電極１２）およびｎ本の維持電極ＳＵ１〜ＳＵｎ（図１の維持電極１３）が配列され、列方向に延びたｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。ここで隣接する３本のデータ電極と１対の表示電極対との交差する部分に形成される３個の放電セルは、赤のサブピクセル、緑のサブピクセル、青のサブピクセルである。そして赤のサブピクセル、緑のサブピクセル、青のサブピクセルが一組で１つの画素を構成する。したがって、例えばパネル１０が１０８０×１９２０の画素をもつ高精細度パネルであれば、ｎ＝１０８０、ｍ＝１９２０×３＝５７６０である。
【００２１】
次に、パネル１０の各電極に印加する駆動電圧波形について説明する。本実施の形態においては、画像信号を入力して画像を表示するための画像表示サブフィールドと、画像表示面上の座標を検出するための発光を発生する座標検出サブフィールドと、を含む複数のサブフィールドで１フィールド期間を構成する。
【００２２】
まず画像表示サブフィールドの詳細について説明する。画像表示サブフィールドは、あらかじめ定められた輝度重みを持つ複数のサブフィールドで構成され、それぞれの画像表示サブフィールドの発光・非発光を放電セル毎に制御することにより画像を表示する。
【００２３】
本実施の形態において画像表示サブフィールドは、初期化期間Ｐｉと書込み期間Ｐｗと維持期間Ｐｓとを有する８個のサブフィールドＳＦ１〜ＳＦ８であり、サブフィールドＳＦ１〜ＳＦ８それぞれの輝度重みは、例えば（１、３４、２１、１３、８、５、３、２）である。しかしサブフィールド数、輝度重み等のサブフィールド構成は、上記に限定されるものではない。
【００２４】
図４は、本発明の実施の形態１における画像表示システム１００のパネル１０に印加する駆動電圧波形図であり、サブフィールドＳＦ１〜ＳＦ３においてパネル１０の各電極に印加する駆動電圧波形を示している。
【００２５】
サブフィールドＳＦ１の初期化期間Ｐｉでは、各電極に所定の電圧を印加して微弱な初期化放電を発生させ、走査電極ＳＣ１〜ＳＣｎ上および維持電極ＳＵ１〜ＳＵｎ上の壁電圧を弱める。またデータ電極Ｄ１〜Ｄｍ上の壁電圧を書込み動作に適した値に調整する。本実施の形態においては、緩やかに上昇する上り傾斜電圧および緩やかに下降する下り傾斜電圧を走査電極ＳＣ１〜ＳＣｎに印加する。
【００２６】
続く書込み期間Ｐｗでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【００２７】
次に、１行目の走査電極ＳＣ１に電圧Ｖａの走査パルスを印加するとともに、データ電極Ｄ１〜Ｄｍのうち１行目に発光させるべき放電セルのデータ電極Ｄｋ（ｋ＝１〜ｍ）に電圧Ｖｄの書込みパルスを印加する。すると書込みパルスを印加した放電セルでは書込み放電が発生し、走査電極ＳＣ１上および維持電極ＳＵ１上に、維持放電を発生させるための壁電圧が蓄積される。一方、書込みパルスを印加しなかった放電セルでは書込み放電は発生せず、走査電極ＳＣ１上および維持電極ＳＵ１上に壁電圧が蓄積されない。
【００２８】
次に、２行目の走査電極ＳＣ２に走査パルスを印加するとともに、データ電極Ｄ１〜Ｄｍのうち２行目に発光させるべき放電セルのデータ電極Ｄｋに書込みパルスを印加する。すると書込みパルスを印加した放電セルでは書込み放電が発生し、走査電極ＳＣ２上および維持電極ＳＵ２上に、維持放電を発生させるための壁電圧が蓄積される。
【００２９】
以下同様に、走査電極ＳＣ３〜ＳＣｎに走査パルスを順次印加するとともに、発光させるべき放電セルのデータ電極Ｄｋに書込みパルスを印加して、３行目〜ｎ行目に発光させるべき放電セルで順次書込み放電を発生させる。
【００３０】
続く維持期間Ｐｓでは、走査電極ＳＣ１〜ＳＣｎに電圧Ｖｓの維持パルスを印加し、維持電極ＳＵ１〜ＳＵｎに電圧０（Ｖ）を印加する。すると書込み放電を起こした放電セルでは維持放電が発生する。そして走査電極ＳＣｉ上の壁電圧および維持電極ＳＵｉ上の壁電圧の極性が反転する。一方、書込み期間Ｐｗにおいて書込み放電が起きなかった放電セルでは維持放電は発生せず、初期化期間Ｐｉの終了時における壁電圧が保たれる。
【００３１】
続いて、走査電極ＳＣ１〜ＳＣｎに電圧０（Ｖ）を印加し、維持電極ＳＵ１〜ＳＵｎに維持パルスを印加する。すると維持放電を発生した放電セルでは再び維持放電が起こり、走査電極ＳＣｉ上の壁電圧および維持電極ＳＵｉ上の壁電圧の極性が反転する。以下同様に輝度重みに応じた数の維持パルスを走査電極ＳＣ１〜ＳＣｎと維持電極ＳＵ１〜ＳＵｎとに交互に印加し、書込み期間Ｐｗにおいて書込み放電を起こした放電セルで維持放電を継続して発生させる。
【００３２】
そして維持期間Ｐｓの最後には、各電極に所定の電圧を印加して、維持放電を発生した放電セルで微弱な消去放電を発生させ、走査電極ＳＣｉ上および維持電極ＳＵｉ上の壁電圧を弱める。本実施の形態においては、緩やかに上昇する上り傾斜電圧を走査電極ＳＣ１〜ＳＣｎに印加する。
【００３３】
サブフィールドＳＦ２の初期化期間Ｐｉでは、各電極に所定の電圧を印加して微弱な初期化放電を発生させ、走査電極ＳＣ１〜ＳＣｎ上および維持電極ＳＵ１〜ＳＵｎ上の壁電圧を弱める。またデータ電極Ｄ１〜Ｄｍ上の壁電圧を書込み動作に適した値に調整する。本実施の形態においては、緩やかに下降する下り傾斜電圧を走査電極ＳＣ１〜ＳＣｎに印加する。
【００３４】
サブフィールドＳＦ２の書込み期間Ｐｗの動作はサブフィールドＳＦ１の書込み期間Ｐｗの動作と同様であるため説明を省略する。続く維持期間Ｐｓの動作も、維持パルスの数を除いてサブフィールドＳＦ１の維持期間Ｐｓの動作と同様である。サブフィールドＳＦ３〜ＳＦ８の動作も、維持パルスの数を除いてサブフィールドＳＦ２の動作と同様である。
【００３５】
次に、座標検出サブフィールドの詳細について説明する。座標検出サブフィールドは、同期をとるための発光を発生する同期検出サブフィールドＳＦｏと、画像表示面上のｙ座標を検出するためのｙ座標検出発光を発生するｙ座標検出サブフィールドＳＦｙと、画像表示面上のｘ座標を検出するためのｘ座標検出発光を発生するｘ座標検出サブフィールドＳＦｘとで構成する。同期検出サブフィールドＳＦｏは電子ペン５０と画像表示装置３０との間で同期を取るためのサブフィールドである。ｙ座標検出サブフィールドＳＦｙは電子ペン５０が指し示す表示画面上のｙ座標を検出するためのサブフィールドである。ｘ座標検出サブフィールドＳＦｘは電子ペン５０が指し示す表示画面上のｘ座標を検出するためのサブフィールドである。
【００３６】
なお本実施の形態においては、以下の説明のために、パネル１０の画像表示面上の左上隅の座標を座標原点（０、０）と定義し、右方向がＸ座標の増加する方向、下方向がＹ座標の増加する方向と定義する。
【００３７】
図５は、本発明の実施の形態１における画像表示システム１００のパネル１０に印加する駆動電圧波形図であり、同期検出サブフィールドＳＦｏ、ｙ座標検出サブフィールドＳＦｙ、ｘ座標検出サブフィールドＳＦｘにおいてパネル１０の各電極に印加する駆動電圧波形を示している。
【００３８】
同期検出サブフィールドＳＦｏの初期化期間Ｐｉでは、各電極に所定の電圧を印加して微弱な初期化放電を発生させ、走査電極ＳＣ１〜ＳＣｎ上および維持電極ＳＵ１〜ＳＵｎ上の壁電圧を弱める。またデータ電極Ｄ１〜Ｄｍ上の壁電圧を書込み動作に適した値に調整する。
【００３９】
同期検出サブフィールドＳＦｏの書込み期間Ｐｗでは、まずデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。その後、データ電極Ｄ１〜Ｄｍに電圧Ｖｄの書込みパルスを印加するとともに走査電極ＳＣ１〜ＳＣｎの複数本毎に電圧Ｖａの走査パルスを順次印加して、全ての放電セルで書込み放電を発生させる。
【００４０】
同期検出サブフィールドＳＦｏの同期検出期間Ｐｏでは、時刻ｔｏ１において、走査電極ＳＣ１〜ＳＣｎに電圧Ｖｓｏの同期検出パルスを印加するとともに維持電極ＳＵ１〜ＳＵｎに電圧０（Ｖ）を印加して、全ての放電セルで同期検出放電を発生させる。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに同期検出パルスを印加して、再び同期検出放電を発生させる。次に、時刻ｔｏ２から時間Ｔｏ２経過後の時刻ｔｏ３において、走査電極ＳＣ１〜ＳＣｎに同期検出パルスを印加するとともに維持電極ＳＵ１〜ＳＵｎに電圧０（Ｖ）を印加して、３回目の同期検出放電を発生させる。続いて時刻ｔｏ３から時間Ｔｏ３経過後の時刻ｔｏ４において、走査電極ＳＣ１〜ＳＣｎに電圧０（Ｖ）を印加するとともに維持電極ＳＵ１〜ＳＵｎに同期検出パルスを印加して、４回目の同期検出放電を発生させる。本実施の形態において、時間Ｔｏ１、時間Ｔｏ２、時間Ｔｏ３は、例えばそれぞれ４０μｓ、２０μｓ、３０μｓである。
【００４１】
そして同期検出期間Ｐｏの最後には、各電極に所定の電圧を印加して、維持放電を発生した放電セルで微弱な消去放電を発生させ、走査電極ＳＣ１〜ＳＣｎ上および維持電極ＳＵ１〜ＳＵｎ上の壁電圧を弱める。
【００４２】
ｙ座標検出サブフィールドＳＦｙの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに上り傾斜電圧を印加して微弱な初期化放電を発生させ、走査電極ＳＣ１〜ＳＣｎ上および維持電極ＳＵ１〜ＳＵｎ上の壁電圧を弱める。またデータ電極Ｄ１〜Ｄｍ上の壁電圧をｙ座標検出放電に適した値に調整する。
【００４３】
ｙ座標検出サブフィールドＳＦｙのｙ座標検出期間Ｐｙでは、まずデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。そして所定の時間（Ｔｙ０−δＹ・Ｔｙ１）の間、この状態を保つ。ここで時間Ｔｙ０はあらかじめ定められた一定の時間であり、本実施の形態においては７００μｓである。また詳細は後述するが、δＹはウオブリング処理による画像のｙ軸方向（下方向）への変位量であり、時間Ｔｙ１はｙ座標検出パルスを印加する時間である。なおｙ軸方向の変位量δＹは、正の値、負の値、または「０」である。
【００４４】
次に、データ電極Ｄ１〜Ｄｍにｙ座標検出電圧Ｖｄｙを印加するとともに、１行目の走査電極ＳＣ１に電圧Ｖａｙのｙ座標検出パルスを印加する。すると１行目の放電セルで放電が発生する。こうして１行目の放電セルでｙ座標検出のための放電を同時に発生させて、１行目の画素行、すなわち１行目の放電セルで構成される１行目の放電セル行でｙ座標検出のための発光（ｙ座標検出発光）が発生する。
【００４５】
次に、データ電極Ｄ１〜Ｄｍにｙ座標検出電圧Ｖｄｙを印加したまま、２行目の走査電極ＳＣ２にｙ座標検出パルスを印加する。すると２行目の画素行、すなわち２行目の放電セル行でｙ座標検出発光が発生する。以下同様に、データ電極Ｄ１〜Ｄｍにｙ座標検出電圧Ｖｄｙを印加したまま走査電極ＳＣ３〜ＳＣｎにｙ座標検出パルスを順次印加して、３行目〜ｎ行目の放電セル行で順次、ｙ座標検出発光を発生させる。ここでｙ座標検出パルスを印加する時間Ｔｙ１は、例えば１μｓである。
【００４６】
こうしてｙ座標検出期間Ｐｙでは、１本の横線が、画像表示面の上端部から下端部まで移動するのが表示される。そのため後述するように、電子ペン５０で放電セル行の発光を受光し、発光のタイミングを知ることで電子ペンが示している表示画面の位置のｙ座標を検出することができる。ただし本実施の形態においては、ウオブリング処理にともない、ｙ座標検出発光の発光タイミングを時間（−δＹ・Ｔｙ１）だけ変更している。なお横線の移動する速度は非常に速いので、視覚的には表示画面全体が僅かに明るくなったようにしか見えない。
【００４７】
ｙ座標検出サブフィールドＳＦｙの消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに上り傾斜電圧を印加して、各放電セルで微弱な消去放電を発生させ、走査電極ＳＣ１〜ＳＣｎ上および維持電極ＳＵ１〜ＳＵｎ上の壁電圧を弱める。
【００４８】
なお本実施の形態においては、ウオブリング処理に依存してｙ座標検出期間Ｐｙが時間（δＹ・Ｔｙ１）だけ短くなるが、消去期間をその分長くしているので、ｙ座標検出サブフィールドＳＦｙの時間的な長さはウオブリング処理に依存することなく一定である。
【００４９】
ｘ座標検出サブフィールドＳＦｘの初期化期間Ｐｉでは、各電極に所定の電圧を印加して微弱な初期化放電を発生させ、走査電極ＳＣ１〜ＳＣｎ上および維持電極ＳＵ１〜ＳＵｎ上の壁電圧を弱める。またデータ電極Ｄ１〜Ｄｍ上の壁電圧をｘ座標検出放電に適した値に調整する。
【００５０】
ｘ座標検出サブフィールドＳＦｘのｘ座標検出期間Ｐｘでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。そして所定の時間（Ｔｘ０−δＸ・Ｔｘ１）の間、この状態を保つ。ここで時間Ｔｘ０はあらかじめ定められた一定の時間であり、本実施の形態においては７００μｓである。また詳細は後述するが、δＸはウオブリング処理による画像のｘ軸方向（右方向）への変位量であり、時間Ｔｘ１はｘ座標検出パルスを印加する時間である。なおｘ軸方向の変位量δＸは、正の値、負の値、または「０」である。
【００５１】
次に、走査電極ＳＣ１〜ＳＣｎにｘ座標検出電圧Ｖａｘを印加するとともに、１つの画素、すなわち赤のサブピクセル、緑のサブピクセル、青のサブピクセルに対応する１列目〜３列目のデータ電極Ｄ１〜Ｄ３に電圧Ｖｄｘのｘ座標検出パルスを印加する。すると１列目〜３列目の放電セルで放電が発生する。こうして、１列目〜３列目の放電セルでｘ座標検出のための放電を同時に発生させて、１列目の画素列、すなわち１列目の放電セルで構成される１列目の放電セル列、２列目の放電セルで構成される２列目の放電セル列、３列目の放電セルで構成される３列目の放電セル列でｘ座標検出のための発光（ｘ座標検出発光）が発生する。
【００５２】
次に、走査電極ＳＣ１〜ＳＣｎにｘ座標検出電圧Ｖａｘを印加したまま、４列目〜６列目のデータ電極Ｄ４〜Ｄ６に電圧Ｖｄｘのｘ座標検出パルスを印加する。すると２列目の画素列、すなわち４列目〜６列目の放電セル列でｘ座標検出発光が発生する。
【００５３】
以下同様に、データ電極３本ずつ、データ電極Ｄｍに至るまでｘ座標検出パルスを順次印加して、放電セル列３列ずつ、ｍ列目の放電セル列に至るまで順次、ｘ座標検出発光を発生させる。ここでｘ座標検出パルスを印加する時間Ｔｘ１は、例えば１μｓである。
【００５４】
こうしてｘ座標検出期間Ｐｘでは、１本の縦線が、画像表示面の左端部から右端部まで移動するのが表示される。そのため後述するように、電子ペン５０で放電セル列の発光を受光し、発光のタイミングを知ることで電子ペン５０が示している表示画面の位置のｘ座標を検出することができる。ただし本実施の形態においては、ウオブリング処理にともない、ｘ座標検出発光の発光タイミングを時間（−δＸ・Ｔｘ１）だけ変更している。なお縦線の移動する速度は非常に速いので、視覚的には表示画面全体が僅かに明るくなったようにしか見えない。
【００５５】
ｘ座標検出サブフィールドＳＦｘの消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに上り傾斜電圧を印加して、各放電セルで微弱な消去放電を発生させ、走査電極ＳＣ１〜ＳＣｎ上および維持電極ＳＵ１〜ＳＵｎ上の壁電圧を弱める。
【００５６】
以上により、座標検出期間が終了する。なお本実施の形態において各電極に印加する電圧値は、例えば、電圧Ｖａ＝電圧Ｖａｙ＝電圧Ｖａｘ＝−２００（Ｖ）、電圧Ｖｃ＝−５０（Ｖ）、電圧Ｖｓ＝電圧Ｖｓｏ＝２０５（Ｖ）、電圧Ｖｅ＝１５５（Ｖ）、電圧Ｖｄ＝電圧Ｖｄｙ＝電圧Ｖｄｘ＝５５（Ｖ）である。ただしこれらの電圧値は一例を挙げたに過ぎず、パネル１０の特性や画像表示装置３０の仕様等に合わせて、適宜最適な値に設定することが望ましい。
【００５７】
次に画像表示装置３０の駆動回路について説明する。図１に示したように、画像表示装置３０の駆動回路は、画像信号処理部３１と、データ電極駆動部３２と、走査電極駆動部３３と、維持電極駆動部３４と、制御部３５と、ウオブリング部３６と、各回路ブロックに必要な電源を供給する電源部（図示せず）とを備えている。
【００５８】
ウオブリング部３６は、描画装置４０から入力した画像信号ｓｉｇ１にウオブリング処理を施し、画像信号ｓｉｇ２として出力する。
【００５９】
図６Ａ、図６Ｂは、本発明の実施の形態１における画像表示システム１００のウオブリング部３６の動作を説明する模式図である。図６Ａには画像の一例として、文字列「ＡＢＣ」を示している。このような文字列を長時間連続して表示し続けると、焼き付きを発生することがある。そのためウオブリング部３６は、入力した画像信号ｓｉｇ１の画像表示位置を非常にゆっくりした速度で移動して、画像信号ｓｉｇ２として出力する。図６Ｂには、画像信号ｓｉｇ１の画像をＸ方向（右方向）へ座標δＸだけ移動し、Ｙ方向（下方向）へ座標δＹだけ移動した画像信号ｓｉｇ２の例を示している。例えば図６Ａに示す文字「Ｃ」の書き終りの座標を座標（Ｘ、Ｙ）とすると、ウオブリング処理後の画像信号ｓｉｇ２の文字「Ｃ」の書き終りの座標は、図６Ｂに示したように、座標（Ｘ＋δＸ、Ｙ＋δＹ）である。ここで座標δＸおよび座標δＹは時間とともに非常にゆっくりした速度で変化する時間の関数である。こうして本実施の形態においては、画像表示サブフィールドにおいて、時間に依存して設定される所定の変位量（δＸ、δＹ）だけ画像の表示位置を移動させることにより、焼き付きを防止している。
【００６０】
またウオブリング部３６は、画像の変位量（δＸ、δＹ）を制御部３５に出力する。
【００６１】
画像信号処理部３１は、ウオブリング部３６から出力される画像信号ｓｉｇ２をサブフィールド毎の発光・非発光を示す画像データに変換する。
【００６２】
データ電極駆動部３２は、画像表示サブフィールドにおいては図４に示したように、画像データをデータ電極Ｄ１〜Ｄｍのそれぞれに対応する書込みパルスに変換し、データ電極Ｄ１〜Ｄｍのそれぞれに印加する。また座標検出サブフィールドにおいては図５に示した駆動電圧波形をデータ電極Ｄ１〜Ｄｍのそれぞれに印加する。
【００６３】
走査電極駆動部３３は、図４および図５に示した駆動電圧波形を走査電極ＳＣ１〜ＳＣｎのそれぞれに印加し、維持電極駆動部３４は、図４および図５に示した駆動電圧波形を維持電極ＳＵ１〜ＳＵｎのそれぞれに印加する。
【００６４】
制御部３５は、図４および図５に示した駆動電圧波形を駆動回路の各回路ブロックで発生させるための各種の制御信号を発生して、それぞれの回路ブロックへ供給する。特に座標検出サブフィールドにおいて、ウオブリング部３６から出力される変位量（δＸ、δＹ）に基づき、ｙ座標検出サブフィールドＳＦｙのｙ座標検出期間Ｐｙの所定の時間（Ｔｙ０−δＹ・Ｔｙ１）を設定し、ｘ座標検出サブフィールドＳＦｘのｘ座標検出期間Ｐｘの所定の時間（Ｔｘ０−δＸ・Ｔｘ１）を設定する。
【００６５】
次に、電子ペン５０について説明する。電子ペン５０はパネル１０の画像表示面上から文字や絵などを入力するためのものであり、パネル１０の発光を受光して、指し示す画像表示面上のｙ座標およびｘ座標を出力する。電子ペン５０は、描画スイッチ５１と、受光素子５２と、同期検出部５３と、座標算出部５４と、送信部５５とを備えている。
【００６６】
描画スイッチ５１は電子ペン５０の先端部付近に取付けられ、電子ペン５０がパネル１０の画像表示面に接触しているとオンになり、画像表示面から離れるとオフになる。
【００６７】
受光素子５２は、電子ペン５０の先端部に取付けられ、パネル１０の発光を受光して同期検出部５３、座標算出部５４のそれぞれに受光信号を出力する。
【００６８】
同期検出部５３は、受光信号の中から、あらかじめ定められた所定の間隔で連続する複数の発光を検出し、画像表示装置３０の駆動に同期した座標基準信号を作成し、座標算出部５４に出力する。
【００６９】
図７は、本発明の実施の形態１における画像表示システム１００の位置座標検出方法を説明するタイミングチャートであり、受光信号および座標基準信号を示している。本実施の形態において、電子ペン５０は、発光の間隔が順に時間Ｔｏ１、時間Ｔｏ２、時間Ｔｏ３となる４個の連続する発光を受光信号の中から探す。そして電子ペン５０は、４個の連続する発光を検出すると、その発光の１つ、例えば時刻ｔｏ１に発生した発光を基準とし、あらかじめ決められている時間Ｔｏｙおよび時間Ｔｏｘに基づいて、ｙ座標検出期間Ｐｙの開始時刻ｔｙ０とｘ座標検出期間Ｐｘの開始時刻ｔｘ０とに立上りを有する座標基準信号を作成し、座標算出部５４に出力する。
【００７０】
なお、電子ペン５０には、ウオブリング処理にともなう画像の変位量（δＸ、δＹ）は通知されない。
【００７１】
座標算出部５４は、時間の長さを計測するためのカウンタと、カウンタの出力に演算を施す演算回路とを備える。そして電子ペン５０が指し示す画像表示面のｘ座標およびｙ座標を、座標基準信号および受光信号にもとづき算出する。
【００７２】
図８は、本発明の実施の形態１における画像表示システム１００の位置座標検出方法を説明する模式図である。上述したように、ｙ座標検出サブフィールドＳＦｙのｙ座標検出期間Ｐｙでは、画像表示面の上端部から下端部まで移動する横線Ｌｙが表示される。そして電子ペン５０が指し示す画像表示面の座標を横線Ｌｙが通過する時刻ｔｙｙにおいて、電子ペン５０の受光素子は横線Ｌｙの発光を受光する。そのため、受光素子は、図７に示したように時刻ｔｙｙで受光を示す受光信号を出力する。
【００７３】
またｘ座標検出サブフィールドＳＦｘのｘ座標検出期間Ｐｘでは、画像表示面の左端部から右端部まで移動する縦線Ｌｘが表示される。そして電子ペン５０が指し示す画像表示面の座標を縦線Ｌｘが通過する時刻ｔｘｘにおいて、電子ペン５０の受光素子は縦線Ｌｘの発光を受光する。そのため、受光素子は、時刻ｔｘｘで受光を示す受光信号を出力する。
【００７４】
座標算出部５４は、ｙ座標検出サブフィールドＳＦｙにおいて座標基準信号と受光信号とにもとづき、時刻ｔｙ０から時刻ｔｙｙまでの時間Ｔｙｙを測定する。次に時間Ｔｙｙから時間Ｔｙ０を減ずる。そして時間（Ｔｙｙ−Ｔｙ０）を時間Ｔｙ１で除算してｙ座標Ｙを求める。すなわち、
ｙ座標：（Ｔｙｙ−Ｔｙ０）／Ｔｙ１
である。
【００７５】
またｘ座標検出サブフィールドＳＦｘにおいて座標基準信号と受光信号とにもとづき、時刻ｔｘ０から時刻ｔｘｘまでの時間Ｔｘｘを測定する。次に時間Ｔｘｘから時間Ｔｘ０を減ずる。そして時間（Ｔｘｘ−Ｔｘ０）を時間Ｔｘ１で除算してｘ座標Ｘを求める。すなわち、
ｘ座標：（Ｔｘｘ−Ｔｘ０）／Ｔｘ１
である。
【００７６】
こうして算出される座標により、後述するように、ウオブリング処理を行う場合であっても電子ペンの指し示す位置と描画位置とを一致させることができる。
【００７７】
送信部５５は、座標算出部５４が算出した座標をエンコードして描画装置４０に無線で送信する。
【００７８】
次に描画装置４０について説明する。描画装置４０は、電子ペン５０が指し示す画像表示面の座標に基づき画像信号を作成する。この画像信号は、使用者が描画した画像を表示するためのものである。描画装置４０は、受信部４１と、描画部４２と、信号切換部４３とを備える。
【００７９】
受信部４１は、電子ペン５０の送信部５５から送られる無線信号をデコードして、座標に変換して描画部４２に出力する。
【００８０】
描画部４２はフレームメモリを備え、電子ペン５０の座標算出部５４が算出した座標にもとづき、画像表示面上の電子ペン５０の軌跡を示す描画信号を作成し、画像表示装置３０に出力する。
【００８１】
図９は、本発明の実施の形態１における画像表示システム１００の描画の一例を示す模式図である。描画部４２は、座標算出部５４が算出した座標に対応する画素を中心に、所定の色および大きさの丸などのパターンをフレームメモリに書込む。使用者が電子ペン５０を画像表示装置３０の画像表示面に接触させたまま移動させると、座標算出部５４が算出する座標も移動する。そして描画部４２は移動する座標を中心に所定のパターンをフレームメモリに順次書き込む。こうして描画部４２は、図９に示したように、画像表示面上の電子ペン５０の軌跡を示す描画信号を作成する。
【００８２】
信号切換部４３は、プレゼンテーション用の画像等を入力するための画像信号入力端子を有し、入力した画像信号と描画部４２から出力される描画信号とを切換えて、あるいは合成して、画像表示装置３０に出力する。これにより、電子ペン５０で書いた画像と入力した画像信号の画像とが切換えられて、あるいは重畳されて表示される。
【００８３】
次に画像表示システム１００の動作について説明する。図１０Ａ〜図１０Ｃは、本発明の実施の形態１における画像表示システム１００の動作を説明するための模式図である。
【００８４】
ここで図１０Ａは、描画部４２のフレームメモリに書込まれた描画信号を、ウオブリング処理を行わずに画像表示装置３０で表示した場合の画像を示している。なお文字「Ｃ」の書き終りの座標を座標（Ｘ、Ｙ）とする。
【００８５】
実際には、画像表示装置３０でウオブリング処理を行うので、文字列「ＡＢＣ」は、図１０Ｂに示す位置に表示されることになる。このとき、文字「Ｃ」の書き終りは、座標（Ｘ＋δＸ、Ｙ＋δＹ）の位置に表示される。
【００８６】
使用者は文字列「ＡＢＣ」の最後の文字「Ｃ」の書き終りの点に電子ペン５０を接触させたとする。ここで仮に、ｙ座標検出期間Ｐｙにおいて、移動する横線Ｌｙの表示のタイミングを変更しなかったと仮定すると、電子ペン５０はｙ座標（Ｙ＋δＹ）を出力する。また仮に、ｘ座標検出期間Ｐｘにおいて、移動する縦線Ｌｘの表示のタイミングを変更しなかったと仮定すると、電子ペン５０はｘ座標（Ｘ＋δＸ）を出力する。すると描画装置４０の描画部４２は、座標算出部５４が算出した座標（Ｘ＋δＸ、Ｙ＋δＹ）に対応する画素を中心に、所定の色および大きさの丸などのパターンをフレームメモリに書込む。そしてウオブリング部３６は座標（Ｘ＋δＸ、Ｙ＋δＹ）のパターンにウオブリング処理を施して、電子ペン５０が指し示す画像表示面の座標を座標（Ｘ＋２δＸ、Ｙ＋２δＹ）に表示することになる（図１０Ｃに「Ｋ１」で示した位置）。
【００８７】
しかしながら本実施の形態においては、ｙ座標検出期間Ｐｙにおいて、移動する横線の表示を時間（−δＹ・Ｔｙ１）だけ変更するので、電子ペン５０は、ウオブリング処理による変位量δＹを補正したｙ座標（Ｙ）を出力する。またｘ座標検出期間Ｐｘにおいて、移動する縦線の表示を時間（−δＸ・Ｔｘ１）だけ変更するので、電子ペン５０は、ウオブリング処理による変位量δＸを補正したｘ座標（Ｘ）を出力する。
【００８８】
すると描画装置４０の描画部４２は、座標算出部５４が算出した座標（Ｘ、Ｙ）に対応する画素を中心に、所定の色および大きさの丸などのパターンをフレームメモリに書込む。そしてウオブリング部３６は座標（Ｘ、Ｙ）のパターンにウオブリング処理を施して、電子ペン５０が指し示す画像表示面の座標を座標（Ｘ＋δＸ、Ｙ＋δＹ）に表示することになる（図１０Ｃに「Ｋ０」で示した位置）。
【００８９】
このように本実施の形態においては、画像表示装置３０でウオブリング処理を行う場合であっても、ｙ座標検出発光およびｘ座標検出発光の発光タイミングを、変位量に相当する時間（−δＹ・Ｔｙ１）、（−δＸ・Ｔｘ１）だけ変更することにより、画像の変位量（δＸ、δＹ）を電子ペン５０および描画装置４０に通知することなく、電子ペン５０の指し示す位置と描画位置とを一致させることができる。
【００９０】
なお本実施の形態においては、各サブフィールドの時間的な長さ、特にｙ座標検出サブフィールドＳＦｙの長さが、ウオブリング処理の画像の変位量に依存しないと仮定した。しかしｙ座標検出サブフィールドＳＦｙの長さがウオブリング処理に応じて時間（−δＹ・Ｔｙ０）だけ変化する場合には、続くｘ座標検出サブフィールドＳＦｘにおいて時間（δＹ・Ｔｙ０）の補正を施せばよい。以下にこのような駆動波形の一例を、実施の形態２として説明する。
【００９１】
（実施の形態２）
図１１は、本発明の実施の形態２における画像表示システム１００のパネル１０に印加する駆動電圧波形図であり、同期検出サブフィールドＳＦｏ、ｙ座標検出サブフィールドＳＦｙ、ｘ座標検出サブフィールドＳＦｘにおいてパネル１０の各電極に印加する駆動電圧波形を示している。また図１１には、各サブフィールドの初期化期間Ｐｉおよび消去期間Ｐｅにおいて各電極に印加する駆動電圧波形の他の例を示している。
【００９２】
同期検出サブフィールドＳＦｏの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。このとき図１１に示したように、データ電極Ｄ１〜Ｄｍを電圧０（Ｖ）にした後でハイインピーダンス状態としてもよい。次にデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。このとき図１１に示したように、維持電極ＳＵ１〜ＳＵｎに電圧Ｖｅを印加した後にハイインピーダンス状態に設定してもよい。
【００９３】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。
【００９４】
続く同期検出サブフィールドＳＦｏの書込み期間Ｐｗおよび同期検出期間Ｐｏは、実施の形態１と同じであるので、説明を省略する。なお、同期検出期間Ｐｏの最後に、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加して全ての放電セルで微弱な消去放電を発生させる。
【００９５】
ｙ座標検出サブフィールドＳＦｙの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｉ４まで下降する下り傾斜電圧を印加する。次にデータ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｓを印加する。次に維持電極ＳＵ１〜ＳＵｎに電圧Ｖｓを印加し、走査電極ＳＣ１〜ＳＣｎに電圧０（Ｖ）を印加する。次に維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。なおこのときも図１１に示したように、維持電極ＳＵ１〜ＳＵｎに電圧Ｖｅを印加した後にハイインピーダンス状態に設定してもよい。
【００９６】
すると全ての放電セルで微弱な初期化放電が発生し、走査電極ＳＣ１〜ＳＣｎ上の壁電圧および維持電極ＳＵ１〜ＳＵｎ上の壁電圧が弱められ、データ電極Ｄ１〜Ｄｍの壁電圧がｙ座標検出のための放電に適した値に調整される。
【００９７】
ｙ座標検出サブフィールドＳＦｙのｙ座標検出期間Ｐｙでは、実施の形態１と同様に、まずデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。そして所定の時間（Ｔｙ０−δＹ・Ｔｙ１）の間、この状態を保つ。そしてその後は、データ電極Ｄ１〜Ｄｍにｙ座標検出電圧Ｖｄｙを印加したまま走査電極ＳＣ１〜ＳＣｎにｙ座標検出パルスを順次印加して、１行目〜ｎ行目の放電セル行を順次発光させる。
【００９８】
ｙ座標検出サブフィールドＳＦｙの消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加して、全ての放電セルで微弱な消去放電を発生させる。
【００９９】
なお実施の形態２においては、消去期間の時間的な長さが一定であるとする。そのため、ウオブリング処理に依存してｙ座標検出サブフィールドＳＦｙの時間的な長さも時間（−δＹ・Ｔｙ１）だけ変化する。
【０１００】
ｘ座標検出サブフィールドＳＦｘの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。このとき図４に示したように、データ電極Ｄ１〜Ｄｍを電圧０（Ｖ）にした後でハイインピーダンス状態としてもよい。次にデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖａまで下降する下り傾斜電圧を印加する。すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧はｘ座標検出のための放電に適した値に調整される。
【０１０１】
ｘ座標検出サブフィールドＳＦｘのｘ座標検出期間Ｐｘでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）を印加する。そして所定の時間（Ｔｘ００＋δＹ・Ｔｙ１−δＸ・Ｔｘ１）の間、この状態を保つ。そしてその後、走査電極ＳＣ１〜ＳＣｎに電圧Ｖｉ１から電圧Ｖｉ２まで上昇する上り傾斜電圧を印加し、さらに走査電極ＳＣ１〜ＳＣｎに電圧０（Ｖ）から電圧Ｖａｘまで下降する下り傾斜電圧を印加する。この間の時間を時間Ｔｘ０１とし、時間（Ｔｘ００＋Ｔｘ０１）を改めて時間Ｔｘ０とおく。
【０１０２】
そしてその後は、データ電極３本ずつ、データ電極Ｄｍに至るまでｘ座標検出パルスを順次印加して、放電セル列３列ずつ、ｍ列目の放電セル列に至るまで順次発光させる。
【０１０３】
ｘ座標検出サブフィールドＳＦｘの消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｉ２まで上昇する上り傾斜電圧を印加する。このとき図４に示したように、データ電極Ｄ１〜Ｄｍを電圧０（Ｖ）にした後でハイインピーダンス状態としてもよい。その後、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｉ４まで下降する下り傾斜電圧を印加する。こうして、全ての放電セルで微弱な消去放電を発生させる。
【０１０４】
このように駆動した場合であっても、座標算出部５４は座標（Ｘ、Ｙ）を算出することができるので、画像表示装置３０でウオブリング処理を行う場合であっても、画像の変位量（δＸ、δＹ）を電子ペン５０および描画装置４０に通知することなく、電子ペン５０の指し示す位置と描画位置とを一致させることができる。
【０１０５】
なお本実施の形態において各電極に印加する電圧値は、例えば、電圧Ｖｉ１＝１５０（Ｖ）、電圧Ｖｉ２＝３５０（Ｖ）、電圧Ｖｉ４＝−１７５（Ｖ）、電圧Ｖａ＝電圧Ｖａｙ＝電圧Ｖａｘ＝−２００（Ｖ）、電圧Ｖｃ＝−５０（Ｖ）、電圧Ｖｓ＝電圧Ｖｓｏ＝２０５（Ｖ）、電圧Ｖｒ＝２０５（Ｖ）、電圧Ｖｅ＝１５５（Ｖ）、電圧Ｖｄ＝電圧Ｖｄｙ＝電圧Ｖｄｘ＝５５（Ｖ）である。
【０１０６】
ただしこれらの電圧値は一例であり、さらに図１１に記載したパネルの各電極に印加する駆動電圧波形も一例である。これら駆動電圧波形や電圧値は、パネル１０の特性や画像表示装置３０の仕様等に合わせて、適宜最適な値に設定することが望ましい。
【０１０７】
なお実施の形態１および実施の形態２においては、ｙ座標検出期間Ｐｙに１行分の放電セル行を順次発光させて、表示画面の上端部から下端部まで走査する横線を示した。しかし本発明はこれに限定されるものではない。例えば、２行分ずつ放電セル行を順次発光させて走査する横線を表示してもよく、また１行おきに放電セル行を発光させて走査する横線を表示してもよい。同様に、ｘ座標検出期間Ｐｘにおいても、３列分の放電セル列を順次発光させて走査する横線を示したが、任意の複数列ずつ放電セル列を順次発光させてもよく、また複数列おきに放電セル列を発光させてもよい。これによりｙ座標検出サブフィールドＳＦｙ、ｘ座標検出サブフィールドＳＦｘに要する時間を短縮することができる。
【０１０８】
なお、実施の形態において用いた具体的な各数値は、単に一例を挙げたに過ぎず、電子ペンの仕様や画像表示装置の特性等に合わせて、適宜最適な値に設定することが望ましい。
【産業上の利用可能性】
【０１０９】
本発明は、ウオブリング処理を行う場合であっても、電子ペンの指し示す位置と描画位置とにズレを発生させることなく、自然な使用感で描画が可能であり、画像表示装置の駆動方法、画像表示装置、および電子ペンを用いて描画可能な画像表示システムとして有用である。
【符号の説明】
【０１１０】
１０    パネル
１２    走査電極
１３    維持電極
２２    データ電極
３０    画像表示装置
３１    画像信号処理部
３２    データ電極駆動部
３３    走査電極駆動部
３４    維持電極駆動部
３５    制御部
３６    ウオブリング部
４０    描画装置
４１    受信部
４２    描画部
４３    信号切換部
５０    電子ペン
５１    描画スイッチ
５２    受光素子
５３    同期検出部
５４    座標算出部
５５    送信部
１００    画像表示システム
【図１】
2015158524.tif 000003
【図２】
2015158524.tif 000004
【図３】
2015158524.tif 000005
【図４】
2015158524.tif 000006
【図５】
2015158524.tif 000007
【図６Ａ】
2015158524.tif 000008
【図６Ｂ】
2015158524.tif 000009
【図７】
2015158524.tif 000010
【図８】
2015158524.tif 000011
【図９】
2015158524.tif 000012
【図１０Ａ】
2015158524.tif 000013
【図１０Ｂ】
2015158524.tif 000014
【図１０Ｃ】
2015158524.tif 000015
【図１１】
2015158524.tif 000016